(57)【要約】  【課題】略矩形波点灯させるＨＩＤランプ11の口金15側の内部で発生する騒音が外部に放出されるのを低減できる照明装置31を提供する。  【解決手段】シールド体51が、ソケット本体40の周面とソケット34に接続されたＨＩＤランプ11の口金15側の周面とに接触し、これらソケット本体40の周面からＨＩＤランプ11の口金15側の周面にかけて覆う。シールド体51によって、略矩形波点灯させるＨＩＤランプ11の口金15側の内部で発生する騒音が外部に放出されるのを遮断して騒音レベルを低減する。  【選択図】図１
2005135633.tif 000002
【特許請求の範囲】
【請求項１】
高輝度放電ランプの外管の一端に設けられた口金が挿入される挿入口を有する筒状のソケット本体、およびソケット本体内に設けられ高輝度放電ランプの口金が接続される受金を有するソケットと；
ソケットに接続された高輝度放電ランプを略矩形波点灯させる点灯装置と；
ソケットに接続された高輝度放電ランプの口金側の周面に接触して覆う環状のシールド体と；
を具備していることを特徴とする照明装置。
【請求項２】
シールド体は、ソケット本体の周面とソケットに接続された高輝度放電ランプの口金側の周面とに接触し、これらソケット本体の周面から高輝度放電ランプの口金側の周面にかけて覆う
ことを特徴とする請求項１記載の照明装置。
【請求項３】
高輝度放電ランプを収容する開放形の反射体を備えた
ことを特徴とする請求項１または２記載の照明装置。
【発明の詳細な説明】
【技術分野】
【０００１】
本発明は、高輝度放電ランプを略矩形波点灯させる照明装置に関する。
【背景技術】
【０００２】
従来、主に屋内において高輝度放電ランプ（以下、ＨＩＤランプという）を使用する照明装置では、点灯不安定や立ち消えなどを回避する場合に、例えば１００Ｈｚ程度の矩形波電力を供給してＨＩＤランプを点灯させる矩形波点灯方式が採用されている。しかし、ＨＩＤランプを矩形波点灯させた場合には、正弦波点灯させた場合に比べて、ＨＩＤランプの内部で発生する騒音が大きくなる傾向があるため、照明装置の使用場所が制限されたり、密閉型器具構造に制限されるなどの制約がある。
【０００３】
ＨＩＤランプは、例えばエジソンベースのＥ３９形などの口金を一端に設けたガラス製の外管の内部に、発光管や、この発光管を外管の口金側に対して片持ち状態で支持するとともに口金からの電気を発光管に供給する金属部材などが収容された構造になっている。そのため、ＨＩＤランプを矩形波点灯させた場合には、発光管およびこの発光管を支持する金属部材やこの金属部材を支持する外管の口金側などが振動し、これらの振動によってＨＩＤランプの内部で騒音が発生し、このＨＩＤランプの内部で発生した騒音が外部に放出される。
【０００４】
また、例えば、直管形蛍光ランプを使用する車両用照明装置においては、直管形蛍光ランプの口金の端面近傍にソケットに設けた環状の防振パッキングを押し当て、直管形蛍光ランプをソケットに弾性的に保持することにより、直管形蛍光ランプとソケットとのがたつきを押え、がたつき音の発生を低減させることが知られている（例えば、特許文献１参照。）。しかし、このような防振パッキングでは、ＨＩＤランプの内部で発生する騒音が外部に放出されるのを低減することは困難である。
【特許文献１】特開平１０−１３４６２８号公報（第２−３頁、図３）
【発明の開示】
【発明が解決しようとする課題】
【０００５】
上述したように、ＨＩＤランプを矩形波点灯させる照明装置では、正弦波点灯させる場合に比べて、ＨＩＤランプの内部で発生する騒音が大きくなる傾向があるため、照明装置の使用場所が制限されたり、密閉型器具構造に制限されるなどの制約が生じる問題がある。
【０００６】
ＨＩＤランプの内部で発生する騒音が外部に放出されるのを低減するのに、ＨＩＤランプ自体で対応しようとすれば、ＨＩＤランプ自体の構造や材質を見直さなければならず、新たなＨＩＤランプの開発が必要となり、容易に対応できない。
【０００７】
また、ソケットと口金との間に介在させる防振パッキングでは、ＨＩＤランプの内部で発生する騒音が外部に放出されるのを低減することは困難である。
【０００８】
本発明は、このような点に鑑みなされたもので、略矩形波点灯させる高輝度放電ランプの口金側の内部で発生する騒音が外部に放出されるのを低減し、略矩形波点灯させる高輝度放電ランプの騒音レベルを低減できる照明装置を提供することを目的とする。
【課題を解決するための手段】
【０００９】
請求項１記載の照明装置は、高輝度放電ランプの外管の一端に設けられた口金が挿入される挿入口を有する筒状のソケット本体、およびソケット本体内に設けられ高輝度放電ランプの口金が接続される受金を有するソケットと；ソケットに接続された高輝度放電ランプを略矩形波点灯させる点灯装置と；ソケットに接続された高輝度放電ランプの口金側の周面に接触して覆う環状のシールド体と；を具備しているものである。
【００１０】
そして、この構成では、ソケットに接続された高輝度放電ランプの口金側の周面に接触して覆う環状のシールド体によって、略矩形波点灯させる高輝度放電ランプの口金側の内部で発生する騒音が外部に放出されるのが低減され、略矩形波点灯させる高輝度放電ランプの騒音レベルが低減される。
【００１１】
請求項２記載の照明装置は、請求項１記載の照明装置において、シールド体は、ソケット本体の周面とソケットに接続された高輝度放電ランプの口金側の周面とに接触し、これらソケット本体の周面から高輝度放電ランプの口金側の周面にかけて覆うものである。
【００１２】
そして、この構成では、ソケット本体の周面とソケットに接続された高輝度放電ランプの口金側の周面とに接触し、これらソケット本体の周面から高輝度放電ランプの口金側の周面にかけて覆うシールド体によって、略矩形波点灯させる高輝度放電ランプの口金側の内部で発生する騒音が外部に放出されるのがより低減され、略矩形波点灯させる高輝度放電ランプの騒音レベルがより低減される。
【００１３】
請求項３記載の照明装置は、請求項１または２記載の照明装置において、高輝度放電ランプを収容する開放形の反射体を備えたものである。
【００１４】
そして、この構成では、高輝度放電ランプを収容する開放形の反射体を備えた場合、高輝度放電ランプの騒音が反射体の開放方向に集められてその開放方向での騒音レベルが高くなりやすいが、シールド体を用いることによってその開放方向における騒音レベルが低減されるため、開放形の反射体を備えた照明装置の使用場所の適用範囲が広がる。
【発明の効果】
【００１５】
請求項１記載の照明装置によれば、ソケットに接続された高輝度放電ランプの口金側の周面に接触して覆う環状のシールド体によって、略矩形波点灯させる高輝度放電ランプの口金側の内部で発生する騒音が外部に放出されるのを低減でき、略矩形波点灯させる高輝度放電ランプの騒音レベルを低減できる。
【００１６】
請求項２記載の照明装置によれば、請求項１記載の照明装置の効果に加えて、ソケット本体の周面とソケットに接続された高輝度放電ランプの口金側の周面とに接触し、これらソケット本体の周面から高輝度放電ランプの口金側の周面にかけて覆うシールド体によって、略矩形波点灯させる高輝度放電ランプの口金側の内部で発生する騒音が外部に放出されるのをより低減でき、略矩形波点灯させる高輝度放電ランプの騒音レベルをより低減できる。
【００１７】
請求項３記載の照明装置によれば、請求項１または２記載の照明装置の効果に加えて、高輝度放電ランプを収容する開放形の反射体を備えた場合、高輝度放電ランプの騒音が反射体の開放方向に集められてその開放方向での騒音レベルが高くなりやすいが、シールド体を用いることによってその開放方向における騒音レベルを低減できるため、開放形の反射体を備えた照明装置の使用場所の適用範囲を広げることができる。
【発明を実施するための最良の形態】
【００１８】
以下、本発明の一実施の形態を図面を参照して説明する。
【００１９】
図１は照明装置の一部の断面図、図２は照明装置のシールド体の拡大断面図、図３は照明装置の側面図である。
【００２０】
図１に示すように、11は高輝度放電ランプ（以下、ＨＩＤランプという）で、このＨＩＤランプ11は、ガラス製の外管12を有し、この外管12の一端に筒状部13が設けられ、この筒状部13の先端にガラス製のステム14が封装されて外管12の内部が密閉されている。
【００２１】
外管12の一端である筒状部13の先端には、エジソンベースの例えばＥ３９形の口金15が取り付けられている。この口金15の周面部には導電性を有する金属製で雄ねじが形成されたシェル16が設けられ、口金15の先端部にはシェル16に対して反対電位におかれる接点部17が設けられている。
【００２２】
外管12の内部には、発光管18、およびこの発光管18を支持する金属部材19などが収容されている。発光管18は、透光性を有する放電容器20を有し、この放電容器20内に希ガスや発光物質などの放電媒体が封入され、放電容器20内の両端に一対の電極21が封装されている。
【００２３】
ステム14には、金属部材19を支持する支持部材22、および発光管18に電気を供給する一対の導入線23がそれぞれ封装されている。一方の導入線23は発光管18の一端側の電極21に接続され、他方の導入線23は金属部材19に接続され、この金属部材19に発光管18の他端側の電極21が接続されている。さらに、一対の導入線23のうちの一方が口金15のシェル16に、他方が接点部17にそれぞれ接続されている。
【００２４】
また、図３に示すように、ＨＩＤランプ11を使用する照明装置31は、例えば天井などに設置される器具本体32を有し、この器具本体32の下部にパイプ33が取り付けられ、このパイプ33の下部にＨＩＤランプ11が接続されるソケット34が取り付けられ、器具本体32内にソケット34に接続されたＨＩＤランプ11を矩形波点灯させる点灯装置35が収容されている。パイプ33には略円筒状のカバー36が取り付けられ、このカバー36の下部にＨＩＤランプ11を収容する下面開放形の筒状の反射体37が取り付けられている。なお、矩形波およびこの矩形波に近似した波形も含んで略矩形波と呼ぶ。
【００２５】
図１に示すように、ソケット34は、絶縁性を有する円筒状のソケット本体40を有し、このソケット本体40には下部側の端面に開口して下方からＨＩＤランプ11の口金15が挿入される挿入口41が形成され、このソケット本体40の内部には口金15のシェル16が螺合接続される金属製で雌ねじが形成された受金42が配設されているとともに口金15の接点部17が接続される金属製の接点板43が配設されている。
【００２６】
ソケット34の上部は、例えばシリコンゴム製のパッキング44を介してパイプ33の下部に設けられたフランジ33aに取付ねじ45などで取り付けられている。パッキング44は、ソケット本体40の挿入口41と反対の端面すなわち上部を覆う端面覆い部46、およびソケット本体40の周面を覆う周面覆い部47を有している。ソケット本体40の上部からは受金42と接点板43とにそれぞれ接続された配線48が引き出され、この配線48がパイプ33内を通じて点灯装置35に接続されている。
【００２７】
ソケット34の下部には、ソケット本体40の周面とソケット34に接続されたＨＩＤランプ11の口金15側の周面とに接触し、これらソケット本体40の周面からＨＩＤランプ11の口金15側の周面にかけて一体に覆う環状のシールド体51が装着されている。
【００２８】
このシールド体51は、図１および図２に示すように、例えばシリコンゴムなどの振動吸収性、耐熱性、耐紫外線性などに優れた材質で環状に形成され、一端側にソケット本体40の周面を覆うソケット側覆い部52が形成され、他端側にＨＩＤランプ11の口金15側の周面を覆うランプ側覆い部53が形成され、これらソケット側覆い部52とランプ側覆い部53との間にソケット本体40の挿入口41が開口する下部側の端面に当接する段部54が形成されている。
【００２９】
シールド体51の装着前の状態においけるソケット側覆い部52の内径およびランプ側覆い部53の内径は、ソケット本体40の外径およびＨＩＤランプ11の口金15側の周面つまり外管12の筒状部13の外径より小さく形成されている。ソケット側覆い部52には、先端側にソケット本体40の周面に密着して接合するソケット接合部55が形成され、この接合部55よりランプ側覆い部53側にソケット本体40の周面から離れる離反部56が形成されている。ランプ側覆い部53には、ＨＩＤランプ11の口金15側の周面つまり外管12の筒状部13の周面に密着して接合するランプ接合部57が形成されている。
【００３０】
そして、照明装置31のソケット34にＨＩＤランプ11を接続した状態で、点灯装置35に通電し、この点灯装置35によって例えば１００Ｈｚ程度の矩形波電力を供給してＨＩＤランプ11を点灯させる。
【００３１】
ＨＩＤランプ11を矩形波点灯させた場合、発光管18およびこの発光管18を支持する金属部材19やこの金属部材19を支持するステム14などの口金15側が振動し、これらの振動によってＨＩＤランプ11の内部で騒音が発生し、このＨＩＤランプ11の内部で発生した騒音が外部に放出される。
【００３２】
このとき、ソケット本体40の周面とソケット34に接続されたＨＩＤランプ11の口金15側の周面とにそれぞれ接合するシールド体51によって、これらソケット本体40の周面からＨＩＤランプ11の口金15側の周面にかけて一体に覆っているため、矩形波点灯させるＨＩＤランプ11の口金15側の内部で発生する騒音が外部に放出されるのを遮断して騒音レベルを低減できるとともに、ソケット本体40の内部のＨＩＤランプ11の口金15や受金42などの振動によって発生した騒音が挿入口41を通じて外部に出るのを遮断して騒音レベルを低減できる。しかも、シールド体51によって、ソケット34とＨＩＤランプ11とを保持してがたつきによる振動を抑制して騒音の発生を低減できる。したがって、矩形波点灯させるＨＩＤランプ11から発生する騒音レベルを低減できる。
【００３３】
そして、ＨＩＤランプ11として４００Ｗ形のメタルハラルドランプを１００Ｈｚの矩形波で点灯させて騒音を測定したところ、シールド体51を用いない場合の騒音レベルが４６ｄＢであったのに対し、シールド体51を用いた場合の騒音レベルが４３ｄＢになり、３ｄＢ低減したことが確認された。
【００３４】
また、シールド体51によって、ソケット本体40の周面からＨＩＤランプ11の口金15側の周面にかけて一体に覆い、つまりソケット本体40の挿入口41を覆っているため、挿入口41の内部への塵埃が進入したり、挿入口41の内部に配置される受金42および接点板43や口金15などの酸化を防止できる。
【００３５】
また、ＨＩＤランプ11を収容する開放形の反射体37を備えた場合、ＨＩＤランプ11の騒音が反射体37の開放方向に集められてその開放方向での騒音レベルが高くなりやすいが、シールド体51の作用によってその開放方向における騒音レベルを低減できるため、開放形の反射体37を備えた照明装置31の使用場所の適用範囲を広げることができる。
【００３６】
なお、シールド体51は、ソケット本体40の周面とソケット34に接続されたＨＩＤランプ11の口金15側の周面とにそれぞれ接合し、ソケット本体40の周面からＨＩＤランプ11の口金15側の周面にかけて一体に覆うことにより、矩形波点灯させるＨＩＤランプ11の騒音レベルをより確実に低減できるが、ソケット34に接続されたＨＩＤランプ11の口金15側の周面のみに接合して覆う構成つまりランプ接合部57を有するランプ側覆い部53のみを備えた構成の場合でも、矩形波点灯させるＨＩＤランプ11の口金15側の内部で発生する騒音が外部に放出されるのを遮断して騒音レベルを低減できる。
【図面の簡単な説明】
【００３７】
【図１】本発明の一実施の形態を示す照明装置の断面図である。
【図２】同上照明装置のシールド体の拡大断面図である。
【図３】同上照明装置の側面図である。
【符号の説明】
【００３８】
11    高輝度放電ランプ
12    外管
15    口金
31    照明装置
34    ソケット
35    点灯装置
37    反射体
40    ソケット本体
41    挿入口
42    受金
51    シールド体
【図１】
2005135633.tif 000003
【図２】
2005135633.tif 000004
【図３】
2005135633.tif 000005